【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
第１の色表記法によって記述された入力カラー画像データを変換手段により変換して第２の色表記法によるカラー画像データを生成するカラー画像処理方法において、
判定変換手段が、前記第１の色表記法によって記述された入力画像データを変換して第３の色表記法によるカラー画像データを生成するステップと、
色判定手段が、前記入力カラー画像データ中所定の範囲の色となる画像部分の全画像に対する比率を前記判定変換手段により生成されたカラー画像データに基づいて算出し、該比率が所定の値を超えるか否かを判定するステップと、
前記比率が所定の値を超えると判定される場合、色調整手段が前記所定の色の画像部分の色調整を行ってカラー画像データを生成するステップと、
逆変換手段が、前記色調整手段によって生成されたカラー画像データを変換して第１の色表記法によるカラー画像データを生成するステップと
を備えたことを特徴とするカラー画像処理方法。
【請求項２】
第１の色表記法によって記述された入力カラー画像データを変換手段により変換して第２の色表記法によるカラー画像データを生成し、当該生成されたカラー画像データを所定の条件に基づき色調整手段により色成分の組み合わせを変更し色調整を行なうカラー画像処理方法において、
判定変換手段が、前記第１の色表記法によって記述された入力画像データを変換して第３の色表記法によるカラー画像データを生成するステップと、
色判定手段が、前記入力カラー画像データ中所定の範囲の色となる画像部分の全画像に対する比率を前記判定変換手段により生成されたカラー画像データに基づいて算出し、該比率が所定の値を超えるか否かを判定するステップと、
前記比率が所定の値を超えると判定される場合、前記色調整手段が前記所定の色の画像部分の色調整を行うステップとを備えたことを特徴とするカラー画像処理方法。
【請求項３】
前記第１の色表記法はＲＧＢであり、前記第２の色表記法には色要素として少なくともシアン、マゼンタおよびイエローを含むことを特徴とする請求項１または請求項２に記載のカラー画像処理方法。
【請求項４】
前記第２の色表記法には色要素としてブラックをさらに含むことを特徴とする請求項３に記載のカラー画像処理方法。
【請求項５】
前記所定の範囲の色とはＲ成分、Ｇ成分、Ｂ成分の値が所定の誤差範囲内で等しくなるグレー色であることを特徴とする請求項３または請求項４に記載のカラー画像処理方法。
【請求項６】
前記色調整手段は、前記比率が所定の値を超えると判定される場合、ＣＩＥＬａｂ色度座標のａｂ平面上のｂ軸にそって負方向に所定の値だけずらして色調整することを特徴とする請求項５に記載のカラー画像処理方法。
【請求項７】
前記所定の範囲の色とはＢ成分とＲ成分およびＧ成分との比率が所定の値を超える青色であることを特徴とする請求項３または請求項４に記載のカラー画像処理方法。
【請求項８】
画像に応じた入力カラー画像データのＲ成分、Ｇ成分、Ｂ成分の値が所定の誤差範囲内で等しくなるグレー色となる画像部分の前記画像に対する比率が所定の値を超える場合、ＣＩＥＬａｂ色度座標のａｂ平面上のｂ軸にそって負方向に所定の値だけずらして前記所定の色の画像部分の色調整を行ってカラー画像データを生成するステップ
を備えたことを特徴とするカラー画像処理方法。
【請求項９】
画像に応じた入力カラー画像データにおいて所定の範囲の色となる画像部分の前記画像に対する比率を算出し、該比率が所定の値を超えるか否かを判定する色判定手段と、
前記比率が所定の値を超えると判定される場合、前記所定の色の画像部分の色調整を行ってカラー画像データを生成する色調整手段と
を備えたことを特徴とするカラー画像処理装置。
【請求項１０】
画像に応じた入力カラー画像データのＲ成分、Ｇ成分、Ｂ成分の値が所定の誤差範囲内で等しくなるグレー色となる画像部分の前記画像に対する比率が所定の値を超える場合、ＣＩＥＬａｂ色度座標のａｂ平面上のｂ軸にそって負方向に所定の値だけずらして前記所定の色の画像部分の色調整を行ってカラー画像データを生成する色調整手段
を備えたことを特徴とするカラー画像処理装置。
【手続補正２】
【補正対象書類名】明細書
【補正対象項目名】発明の名称
【補正方法】変更
【補正の内容】
【発明の名称】カラー画像処理方法および装置
【手続補正３】
【補正対象書類名】明細書
【補正対象項目名】０００８
【補正方法】変更
【補正の内容】
【０００８】
このような課題を解決するために、請求項１に記載の発明は、第１の色表記法によって記述された入力カラー画像データを変換手段により変換して第２の色表記法によるカラー画像データを生成するカラー画像処理方法において、判定変換手段が、第１の色表記法によって記述された入力画像データを変換して第３の色表記法によるカラー画像データを生成するステップと、色判定手段が、入力カラー画像データ中所定の範囲の色となる画像部分の全画像に対する比率を判定変換手段により生成されたカラー画像データに基づいて算出し、比率が所定の値を超えるか否かを判定するステップと、比率が所定の値を超えると判定される場合、色調整手段が所定の色の画像部分の色調整を行ってカラー画像データを生成するステップと、逆変換手段が、色調整手段によって生成されたカラー画像データを変換して第１の色表記法によるカラー画像データを生成するステップとを備えたことを特徴とする。
【手続補正４】
【補正対象書類名】明細書
【補正対象項目名】０００９
【補正方法】変更
【補正の内容】
【０００９】
請求項２に記載の発明は、第１の色表記法によって記述された入力カラー画像データを変換手段により変換して第２の色表記法によるカラー画像データを生成し、生成されたカラー画像データを所定の条件に基づき色調整手段により色成分の組み合わせを変更し色調整を行なうカラー画像処理方法において、判定変換手段が、第１の色表記法によって記述された入力画像データを変換して第３の色表記法によるカラー画像データを生成するステップと、色判定手段が、入力カラー画像データ中所定の範囲の色となる画像部分の全画像に対する比率を判定変換手段により生成されたカラー画像データに基づいて算出し、比率が所定の値を超えるか否かを判定するステップと、比率が所定の値を超えると判定される場合、色調整手段が所定の色の画像部分の色調整を行うステップとを備えたことを特徴とする。
【手続補正５】
【補正対象書類名】明細書
【補正対象項目名】００１０
【補正方法】変更
【補正の内容】
【００１０】
請求項３に記載の発明は、請求項１または請求項２に記載のカラー画像処理方法において、第１の色表記法はＲＧＢであり、第２の色表記法には色要素として少なくともシアン、マゼンタおよびイエローを含むことを特徴とする。
【手続補正６】
【補正対象書類名】明細書
【補正対象項目名】００１１
【補正方法】変更
【補正の内容】
【００１１】
請求項４に記載の発明は、請求項３に記載のカラー画像処理方法において、第２の色表記法には色要素としてブラックをさらに含むことを特徴とする。
【手続補正７】
【補正対象書類名】明細書
【補正対象項目名】００１２
【補正方法】変更
【補正の内容】
【００１２】
請求項５に記載の発明は、請求項３または請求項４に記載のカラー画像処理方法において、所定の範囲の色とはＲ成分、Ｇ成分、Ｂ成分の値が所定の誤差範囲内で等しくなるグレー色であることを特徴とする。
【手続補正８】
【補正対象書類名】明細書
【補正対象項目名】００１３
【補正方法】変更
【補正の内容】
【００１３】
請求項６に記載の発明は、請求項５に記載のカラー画像処理方法において、色調整手段は、比率が所定の値を超えると判定される場合、ＣＩＥＬａｂ色度座標のａｂ平面上のｂ軸にそって負方向に所定の値だけずらして色調整することを特徴とする。
【手続補正９】
【補正対象書類名】明細書
【補正対象項目名】００１４
【補正方法】変更
【補正の内容】
【００１４】
請求項７に記載の発明は、請求項３または請求項４に記載のカラー画像処理方法において、所定の範囲の色とはＢ成分とＲ成分およびＧ成分との比率が所定の値を超える青色であることを特徴とする。
【手続補正１０】
【補正対象書類名】明細書
【補正対象項目名】００１５
【補正方法】変更
【補正の内容】
【００１５】
請求項８に記載の発明は、カラー画像処理方法であって、画像に応じた入力カラー画像データのＲ成分、Ｇ成分、Ｂ成分の値が所定の誤差範囲内で等しくなるグレー色となる画像部分の画像に対する比率が所定の値を超える場合、ＣＩＥＬａｂ色度座標のａｂ平面上のｂ軸にそって負方向に所定の値だけずらして所定の色の画像部分の色調整を行ってカラー画像データを生成するステップを備えたことを特徴とする。
【手続補正１１】
【補正対象書類名】明細書
【補正対象項目名】００１６
【補正方法】変更
【補正の内容】
【００１６】
請求項９に記載の発明は、カラー画像処理装置であって、画像に応じた入力カラー画像データにおいて所定の範囲の色となる画像部分の画像に対する比率を算出し、比率が所定の値を超えるか否かを判定する色判定手段と、比率が所定の値を超えると判定される場合、所定の色の画像部分の色調整を行ってカラー画像データを生成する色調整手段とを備えたことを特徴とする。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
請求項１０に記載の発明は、カラー画像処理装置であって、画像に応じた入力カラー画像データのＲ成分、Ｇ成分、Ｂ成分の値が所定の誤差範囲内で等しくなるグレー色となる画像部分の画像に対する比率が所定の値を超える場合、ＣＩＥＬａｂ色度座標のａｂ平面上のｂ軸にそって負方向に所定の値だけずらして所定の色の画像部分の色調整を行ってカラー画像データを生成する色調整手段を備えたことを特徴とする。